(57)【要約】【課題】本発明は、開閉の操作部を可及的に小さくして洗濯ばさみ全体に対する挟持部の占める割合を大きくすることでコンパクトでありながらも開閉操作がし易く、しかも挟持が確実で挟持した洗濯物の落下を有効に防止することができる洗濯ばさみを提供する。【解決手段】本発明は、操作連結体４０に受動挟持体２０と作動挟持体３０の基部をそれぞれ軸支し、操作連結体４０の回転操作により受動挟持体２０と作動挟持体３０を圧着離反させることにより各挟持体間に洗濯物を挟持可能に構成した洗濯ばさみにおいて、受動挟持体２０の基端は、操作連結体４０の下部と軸支連結し、作動挟持体３０は受動挟持体２０の基端の軸支部よりも前方位置にある操作連結体４０の前部と軸支連結し、操作連結体４０の回動操作により受動挟持体２０、作動挟持体３０の各挟圧面が略全面接触すべく構成したことを特徴とする。【選択図】図２
2009006088.tif 000002
【特許請求の範囲】
【請求項１】
操作連結体４０に受動挟持体２０と作動挟持体３０の基部をそれぞれ軸支し、操作連結体４０の回転操作により受動挟持体２０と作動挟持体３０を圧着離反させることにより各挟持体間に洗濯物を挟持可能に構成した洗濯ばさみにおいて、
受動挟持体２０の基端は、操作連結体４０の下部と軸支連結し、作動挟持体３０は受動挟持体２０の基端の軸支部よりも前方位置にある操作連結体４０の前部と軸支連結し、操作連結体４０の回動操作により受動挟持体２０、作動挟持体３０の各挟圧面が略全面接触すべく構成したことを特徴とする洗濯ばさみ。
【請求項２】
作動挟持体３０の挟持作動反対側には、作動挟持体３０を受動挟持体２０に圧着離反の付勢を行うための付勢作動体５０を配設すると共に、付勢作動体５０の基端は操作連結体４０に軸支連結したことを特徴とする請求項１に記載の洗濯ばさみ。
【請求項３】
付勢作動体５０と受動挟持体２０との間にロック機構７０を介設し、作動挟持体３０が付勢作動体５０を介して受動挟持体２０に押圧された状態をロック可能に構成してなることを特徴とする請求項２に記載の洗濯ばさみ。
【請求項４】
ロック機構７０は、受動挟持体２０の中途に係合レバー７０’の基端を軸支し、係合レバー７０’の側縁に係合凹部７１を形成して係合凹部７１に操作連結体４０と付勢作動体５０との軸支部の軸の伸延部５１’を係合可能に構成してなることを特徴とする請求項３に記載の洗濯ばさみ。
【請求項５】
係合レバー７０’は、係合凹部７１が付勢作動体５０の軸の伸延部５１’に係合自在となる方向に付勢されていることを特徴とする請求項４に記載の洗濯ばさみ。
【請求項６】
受動挟持体２０と作動挟持体３０との各挟持面には弾性素材の挟持部材２２、３２が張設されていることを特徴とする請求項５に記載の洗濯ばさみ。
【発明の詳細な説明】
【技術分野】
【０００１】
本発明は、洗濯ばさみに関し、特に、挟持した洗濯物の落下を有効に防止することのできる洗濯ばさみに関する。
【背景技術】
【０００２】
現在一般的に用いられている洗濯ばさみは、洗濯物を挟持する挟持面に凹凸の細かいピッチを多数形成することにより、洗濯物の挟持抵抗を増大させて洗濯物がはさみ形状から離反して風等で飛ばされ地面に落下することを防止している。
【０００３】
しかしながら、かかる従来の洗濯ばさみは、挟持面積が小さいため、上記のように落下防止のための凹凸が形成されているにもかかわらず洗濯物を確実に挟持しておくことが困難であった。また、挟持力を強くすることで洗濯物の落下を防止することも考えられるが、洗濯物に挟んだ跡が残ってしまうため好ましくない。
【０００４】
このような問題を解決するものとして、例えば、特許文献１には、挟持面積を大きくすることによって、洗濯物との抵抗を増大させて洗濯物の落下を防止する洗濯ばさみが開示されている。
【特許文献１】特開２００５−１３２８５号公報
【発明の開示】
【発明が解決しようとする課題】
【０００５】
特許文献１に記載の洗濯ばさみは、開閉軸を支点とした一対の挟持部材からなり、この一対の挟持部材を対向させて、挟持部材の対面する挟持部が互いに閉じ合うように挟持部材間に付勢バネを介設したものである。
【０００６】
すなわち、特許文献１に記載の洗濯ばさみは、基本的な構造は従来の洗濯ばさみと何ら変わらず、開閉操作部が支点となる開閉軸を中心として挟持部の反対側に延出しているため、洗濯ばさみ全体における挟持部の占める割合は小さい。そのため、有効な挟持面積を確保しようとすると洗濯ばさみ全体を大きくする必要があり、扱いづらいものとなってしまう。
【０００７】
そこで、本発明は、開閉の操作部を可及的に小さくして洗濯ばさみ全体に対する挟持部の占める割合を大きくすることでコンパクトでありながらも開閉操作がし易く、しかも挟持が確実で挟持した洗濯物の落下を有効に防止することができる洗濯ばさみを提供することを目的とする。
【課題を解決するための手段】
【０００８】
上記課題を解決するために、請求項１に記載の発明は、操作連結体４０に受動挟持体２０と作動挟持体３０の基部をそれぞれ軸支し、操作連結体４０の回転操作により受動挟持体２０と作動挟持体３０を圧着離反させることにより各挟持体間に洗濯物を挟持可能に構成した洗濯ばさみにおいて、受動挟持体２０の基端は、操作連結体４０の下部と軸支連結し、作動挟持体３０は受動挟持体２０の基端の軸支部よりも前方位置にある操作連結体４０の前部と軸支連結し、操作連結体４０の回動操作により受動挟持体２０、作動挟持体３０の各挟圧面が略全面接触すべく構成したことを特徴とする。
【０００９】
また、請求項２に記載の発明は、作動挟持体３０の挟持作動反対側には、作動挟持体３０を受動挟持体２０に圧着離反の付勢を行うための付勢作動体５０を配設すると共に、付勢作動体５０の基端は操作連結体４０に軸支連結したことを特徴とする。                  
【００１０】
また、請求項３に記載の発明は、付勢作動体５０と受動挟持体２０との間にロック機構７０を介設し、作動挟持体３０が付勢作動体５０を介して受動挟持体２０に押圧された状態をロック可能に構成してなることを特徴とする。
【００１１】
また、請求項４に記載の発明は、ロック機構７０は、受動挟持体２０の中途に係合レバー７０’の基端を軸支し、係合レバーの側縁に係合凹部を形成して係合凹部７１に操作連結体４０と付勢作動体５０との軸支部の軸の伸延部５１’を係合可能に構成してなることを特徴とする。
【００１２】
また、請求項５に記載の発明は、係合レバー７０’は、係合凹部７１が付勢作動体５０の軸の伸延部５１’に係合自在となる方向に付勢されていることを特徴とする。
【００１３】
また、請求項６に記載の発明は、受動挟持体２０と作動挟持体３０との各挟持面には弾性素材の挟持部材２２、３２が張設されていることを特徴とする。
【発明の効果】
【００１４】
請求項１に記載の発明によれば、受動挟持体の基端は、操作連結体の下部と軸支連結し、作動挟持体は受動挟持体の基端の軸支部よりも前方位置にある操作連結体の前部と軸支連結し、操作連結体の回動操作により受動挟持体、作動挟持体の各挟圧面（挟着面）が略全面接触すべく構成したことにより、操作連結体の回動操作により作動挟持体を前方に押しやりながら受動挟持体の挟圧面に作動挟持体の挟圧面を対面させつつ互いに圧着させることができるため簡易な挟持操作が可能となり、かつ操作連結体は小さく構成しても各挟持体は可及的に挟圧面を大きくとることができコンパクトな構成にもかかわらず挟持機能を向上することができる効果がある。
【００１５】
請求項２に記載の発明によれば、作動挟持体の挟持作動反対側には、作動挟持体を受動挟持体に圧着離反の付勢を行うための付勢作動体を配設すると共に、付勢作動体の基端は操作連結体に軸支連結したことにより、受動挟持体と作動挟持体との間に洗濯物を挟持する場合は付勢作動体により作動挟持体を挟持方向に付勢して挟持操作を容易にすることができると共に、洗濯物を取出す場合は付勢作動体により各挟持体の離反操作も行うことができるため、洗濯物の挟持、取出し作業が容易かつ簡単に行うことができる効果がある。
【００１６】
請求項３に記載の発明によれば、付勢作動体と受動挟持体との間にロック機構を介設し、作動挟持体が付勢作動体を介して受動挟持体に押圧された状態をロック可能に構成したことにより、各挟持体間に洗濯物を挟持した場合にロック機構により挟持状態を確実に保持することができる効果がある。
【００１７】
請求項４に記載の発明によれば、ロック機構は、受動挟持体の中途に係合レバーの基端を軸支し、係合レバーの側縁に係合凹部を形成して係合凹部に操作連結体と付勢作動体との軸支部の軸の伸延部を係合可能に構成したことにより、各挟持体間に洗濯物を挟持した場合に係合レバーを係合方向に操作して係合凹部を操作連結体と付勢作動体との軸支部の伸延部に係合することにより各挟持体は挟持状態を固定されて洗濯物の落下を容易に防止することができる効果がある。
【００１８】
請求項５に記載の発明によれば、係合レバーは、係合凹部が付勢作動体の軸の伸延部に係合自在となる方向に付勢されているため、簡単な操作により自動的に係合レバーと付勢作動体の軸の伸延部との係合固定を行い各挟持体の挟持状態を保持することができる効果がある。
【００１９】
請求項６に記載の発明によれば、受動挟持体と作動挟持体との各挟持面には弾性素材の挟持部材が張設されているため、洗濯物を挟持した場合に摩擦係数が大となり洗濯物を確実に挟持することができる効果がある。
【発明を実施するための最良の形態】
【００２０】
本発明に係る洗濯ばさみの一実施の形態を以下図面に基づき説明する。
図１は、本実施形態に係る洗濯ばさみの使用状態を示す説明図であり、図２は、本実施形態に係わる洗濯ばさみの斜視図であり、図３は、その要部の説明図であり、図４は、作動の原理説明図であり、図５−１，図５−２は、作動状態の変化を示す側面説明図である。
【００２１】
本実施形態に係わる洗濯ばさみ１０は、全体を略Ｕ字形とした洗濯ばさみ形状としており、縦長形状の操作連結体４０に受動挟持体２０と作動挟持体３０の基部をそれぞれ軸支し、操作連結体４０の回動操作により受動挟持体２０と作動挟持体３０を圧着離反させることにより各挟持体間に洗濯物を挟持可能に構成している。
【００２２】
すなわち、受動挟持体２０は細幅の板状に形成しており、その基端には左右ブラケット２１ａ，２１ｂを立設してその間に軸架した枢軸４１により操作連結体４０の下部に軸支連結されている。また、作動挟持体３０も同様に細幅の板状に形成しており、その基端は操作連結体４０の前部に軸支機構３１を介して軸支連結されている。しかも、各挟持体は、受動挟持体２０の基端の軸支部たる枢軸４１よりも作動挟持体３０の基端の軸支部たる軸支機構３１が前方に位置するように操作連結体４０と連結構成されている。
【００２３】
このように構成することにより、図４及び図５−１，図５−２に示すように、操作連結体４０を受動挟持体２０との軸支部たる枢軸４１を中心にして前方に回動することにより作動挟持体３０は徐々に受動挟持体２０に近づき、まず先端部分が受動挟持体２０に当接し、次いで全面が当接して各挟持体の挟圧面同士が当接状態となり、洗濯物を挟持し得る状態となる。
【００２４】
ここで、作動挟持体３０の基端が操作連結体４０の前部に軸支機構３１を介して軸支連結される場合の軸支機構３１の構造は、図３に示すように、いわゆる蝶番構造としており、作動挟持体３０基端の両側に突設した左右ブラケット３３ａ、３３ｂと、その間に介在され操作連結体４０前部に突設した支軸ブラケット４２とを枢軸３１’を介して軸支連結する構造としている。
【００２５】
以上のように、各挟持体は、受動挟持体２０の基端の軸支部たる枢軸４１よりも作動挟持体３０の基端の軸支部たる軸支機構３１が前方に位置するように操作連結体４０と連結構成されていることにより、操作連結体４０を前方に回動操作すれば作動挟持体３０は少ない回動操作によって受動挟持体２０の挟圧面と圧着状態に重合されることになる。
【００２６】
操作連結体４０は、受動挟持体２０に対して当初より約４５度の角度を有した縦状態に組み付けられており、下半部の受動挟持体２０側との対向面は半円弧状に形成して軸支部を中心に回動しやすく構成しているが、半円弧状の終端部分は水平に形成した平坦部４０’を形成して受動挟持体２０の基端上面と当接することにより操作連結体４０が４５度の角度以上に立ち上がらないようにしている。すなわち、操作連結体４０のこの角度が各挟持体が開放された初期設定状態を示している。
【００２７】
また、作動挟持体３０の上面周縁には周壁を立設してその内部は中空状態としており、後述するようにその内部には付勢スプリング６０が収納されるように構成している。
【００２８】
以上のように構成された操作連結体４０と各狭持体２０，３０とにより洗濯物Ｌを挟持する構成が形成されるものであるが、この挟持体のうち作動挟持体３０を受動挟持体２０に圧接付勢にするために、作動挟持体３０の挟持作動の反対側には、作動挟持体３０を受動挟持体２０に圧着及び離反の付勢を行うための付勢作動体５０を配設すると共に、付勢作動体５０の基端は操作連結体４０に軸支連結している。すなわち、付勢作動体５０は細幅状の板体に形成されており、基端に垂設したブラケット５３と枢軸５１を介して操作連結体４０の上端部に軸支連結されており、付勢作動体５０と作動挟持体３０との間には付勢スプリング６０を介在させている。しかも、付勢作動体５０の基端と操作連結体４０との軸支連結部たる枢軸５１の位置は作動挟持体３０と操作連結体４０の軸支連結部たる軸支機構３１の位置よりも後方に配設されており、また、付勢スプリング６０の前端は付勢作動体５０の前部に前固定部６３を介して固定され、付勢スプリング６０の後端は作動挟持体３０の後部に後固定部６２を介して固定されており、従って、操作連結体４０の回動操作にともなう付勢作動体５０の付勢スプリング６０前端位置、すなわち、前固定部６３の回動半径は作動挟持体３０の付勢スプリング６０後端位置、すなわち、後固定部６２の回動半径よりも大きいため、操作連結体４０の始動位置では付勢スプリング６０は付勢力を各作動体の離隔方向に機能させているが、操作連結体４０の回動操作にともない付勢スプリング６０の前固定部６３の位置が前方に変位して付勢スプリング６０を引っ張る方向に機能することになり、付勢スプリング６０は伸長して作動挟持体３０に対して下方への引張り付勢となり、後固定部６２を介して作動挟持体３０は受動挟持体２０に対して圧着する方向へ付勢されることになる。このようにして付勢スプリング６０の作用により作動挟持体３０は受動挟持体２０方向に圧着付勢され、間に介在した洗濯物Ｌの挟持が確実に行われることになる。
【００２９】
付勢作動体５０の後端には長孔５２を形成し、同長孔５２と操作連結体４０の下部との間には規制ロッド８０を介設し、付勢スプリング６０によって、付勢作動体５０と作動挟持体３０とが互いに離隔する方向に働く付勢力を制限している。なお、操作連結体４０の回動操作にともない付勢作動体５０が一定以上の回動をしないように規制、すなわち、回動にともない前進距離を規制し、作動挟持体３０の受動挟持体２０に対する圧着度合いを調整するようにしてもよい。
【００３０】
また、付勢作動体５０と受動挟持体２０との間には、ロック機構７０を介設し、作動挟持体３０が付勢作動体５０を介して受動挟持体２０に押圧された状態をロック可能に構成している。すなわち、ロック機構７０は、受動挟持体２０の中途に係合レバー７０’の基端を軸支し、係合レバー７０’の後側縁に係合凹部７１を複数段形成しており、係合凹部７１は操作連結体４０と付勢作動体５０とを連結する枢軸５１外側方の伸延部５１’と係合可能に構成されている。なお、係合レバー７０’は、後述のように係合方向に付勢するように構成されている。従って、操作連結体４０の回動操作後に係合レバー７０’を操作して枢軸５１の伸延部５１’に適当な係合凹部７１を係合させることにより付勢作動体５０を一定の位置でロックすることができ、結果的には付勢スプリング６０を介して作動挟持体３０の圧着状態を生起した後に、その状態のロックも行うことになる。
【００３１】
図中、７４は、係合レバー７０’基端を受動挟持体２０の中途に枢着するための枢軸、７５は、係合レバー７０’を係合方向に付勢するための巻きばねを示し、この付勢機構は、板バネ、その他の付勢部材を選択することができる。
【００３２】
また、受動挟持体２０と作動挟持体３０との各挟持面には弾性素材の挟持部材２２、３２が張設されて洗濯物の挟持機能を高めている。
【００３３】
図６−１及び図６−２に示しているものは、本実施形態の洗濯ばさみ１０を実際に使用する際に付勢スプリング６０や各狭持体２０，３０や付勢作動体５０や操作連結体４０などの間や連結部に指を挟まないように、付勢作動体５０や操作連結体４０を被覆する上下部カバーが装着されている。すなわち、付勢作動体５０の下部を除いた全体とその後方部分の規制ロッド８０部分と付勢スプリング６０と操作連結体４０の上半部とを一体に覆う上部カバー１００が設けられているとともに、操作連結体４０の下半部を下方から覆う下部カバー２００設けられており、各カバーの互いに対向する開口部分は操作連結体４０の回動動作に支障とならないように一方のカバー開口部の幅員を他方のカバー開口部の幅員より幅広に形成して互いに干渉しないようにしている。しかも、下部カバー２００の下面には物干しロープＲなどに掛止するためのフック２５０が突設されている。
【００３４】
本実施形態の洗濯ばさみ１０は、図７（ａ）に示すように、従来の洗濯ばさみとほぼ同様の大きさ、すなわち、全長６０mm、全幅１２mm程度であることが望ましい。かかる構成でも本実施形態の洗濯ばさみ１０は、従来と比較して狭持面積を３〜４倍とすることができるためコンパクトな構成にもかかわらず洗濯物の狭持機能を向上して不用意な洗濯物の落下を防止することができる。
【００３５】
なお、比較的に軽量で薄い洗濯物を狭持するために使用する洗濯ばさみの場合は、図７（ｂ）に示すように、上記した大きさの３〜４分の１の大きさにしても従来の洗濯ばさみと同様の狭持力を保持することができ、かつ一層コンパクトに構成することができる。
【００３６】
本実施形態の洗濯ばさみ１０は、以上のように構成されているものであり、この洗濯ばさみ１０を実際に使用する場合について、その作用と共に動作の説明を行う。
【００３７】
先ず、洗濯物Ｌを挟持するためには、操作連結体４０を立上げ状とし、受動挟持体２０に対して約４５度の角度に立設しておく。この状態においては、操作連結体４０の側縁に形成した水平の平坦部４０’が受動挟持体２０の基端上面に当接した状態となっている。
【００３８】
そして、作動挟持体３０も、操作連結体４０も、受動挟持体２０より上方に開口した形態となっている。かかる状態において、受動挟持体２０と作動挟持体３０との間に洗濯物Ｌを挟んで操作連結体４０を枢軸４１を中心に前方へ回動操作すると、図５−１（ａ）から（ｂ）の形態に各構成部材が変位する。
【００３９】
すなわち、作動挟持体３０が下方の受動挟持体２０の方向へ回動降下し、先ず、作動挟持体３０の先端部分が受動挟持体２０の先端部分に当接する。かかる状態において、更に、操作連結体４０を回動して行けば、作動挟持体３０の基端部分も除々に降下して受動挟持体２０の上面に接近していき、同時に付勢作動体５０も下方に回動しながら主に先端方向に前進変位する。
【００４０】
付勢作動体５０のかかる前進変位は、付勢スプリング６０を引っ張ることになり、同付勢スプリング６０の後端の後固定部６２を介して作動挟持体３０を降下方向、すなわち、受動挟持体２０の上面方向に引張り付勢することになる。
【００４１】
かかる状態においては、作動挟持体３０は、受動挟持体２０の上面に重なって、その間に置いた洗濯物Ｌを全面で挟持することになり、付勢スプリング６０の付勢力によって挟圧状態を生起している。
【００４２】
この状態でロック機構７０により、係合レバー７０’を伸延部５１’と係合させてロックすれば、操作連結体４０を要して、受動挟持体２０、作動挟持体３０、付勢作動体５０が重合した形態で固定されて、洗濯物Ｌの挟持が完了する。
【００４３】
必要に応じて、下部カバー２００に突設したフック２５０を介して物干しロープＲなどに係止、吊下げればよく、他方、物干しが完了した後に洗濯物Ｌを取出す場合には、先ず、ロック機構７０を解除すると、付勢スプリング６０の引張り付勢が解除されて図５−１（ｂ）の状態になり、操作連結体４０を立上げ回動すれば、受動挟持体２０と作動挟持体３０との間が図５−１（ａ）の状態に開口して容易に洗濯物Ｌの取出しが可能となる。
【００４４】
本発明の好ましい実施の形態について説明したが、本発明は係る特定の実施形態に限定されるものではなく、特許請求の範囲に記載された本発明の要旨の範囲内において、種々の変形・変更が可能である。
【図面の簡単な説明】
【００４５】
【図１】本実施形態に係る洗濯ばさみの使用状態を示す説明図。
【図２】本実施形態に係る洗濯ばさみの外観図。
【図３】本実施形態に係る洗濯ばさみの挟持片の基端部周辺における拡大斜視図。
【図４】本実施形態に係る洗濯ばさみの動作原理を示す説明図。
【図５−１】本実施形態に係る洗濯ばさみにおける操作片、付勢体、ロック機構及び規制部材の動作を示す説明図。
【図５−２】本実施形態に係る洗濯ばさみにおける操作片、付勢体、ロック機構及び規制部材の動作を示す説明図。
【図６−１】本実施形態に係る洗濯ばさみのケースを装着した状態の外観図。
【図６−２】本実施形態に係る洗濯ばさみのケースを装着した状態の外観図。
【図７】本実施形態に係る洗濯ばさみの外観を示す説明図。
【符号の説明】
【００４６】
１０  洗濯ばさみ
２０  受動挟持体
２２  挟持部材
３０  作動挟持体
３１  軸支機構
３１’  枢軸
４０  操作連結体
４１  枢軸
４２  支軸ブラケット
５０  付勢作動体
５１  枢軸
５１’  伸延部
５２  長孔
５３  ブラケット
６０  付勢スプリング
６２  後固定部
６３  前固定部
７０  ロック機構
７１  係合凹部
８０  規制ロッド
Ｌ  洗濯物
Ｒ  ロープ
【図１】
2009006088.tif 000003
【図２】
2009006088.tif 000004
【図３】
2009006088.tif 000005
【図４】
2009006088.tif 000006
【図５−１】
2009006088.tif 000007
【図５−２】
2009006088.tif 000008
【図６−１】
2009006088.tif 000009
【図６−２】
2009006088.tif 000010
【図７】
2009006088.tif 000011